(57)【特許請求の範囲】
【請求項１】
ボウル部から延びる排水路にトラップ部を配設した水洗便器であって、トラップ部は自由端とした後端が上下に反転回動自在となり、このトラップ部が外部排水管に連通するケース本体内に収容され、トラップ部から排水するときボウル部に給水する給水手段を設けた水洗便器装置において、トラップ部の自由端とした後端を上下方向に反転するために回転駆動される回転軸にリンク板を一体に設け、上下に手動で揺動される操作レバーとリンク板とを操作レバーの押し操作でリンク板が回転駆動されるように引っ張りバネよりなる連繋バネを介して連繋させ、操作レバーの押し操作でリンク板を駆動する方向と逆の戻す方向に付勢する戻しバネをリンク板に付設し、連繋バネの引っ張りバネとしての動作により操作レバーの操作に遅延してリンク板が駆動するようにする一方、操作レバーと給水手段を連繋させて操作レバーの操作に連動して給水手段からボウル部に給水されるようにし、ボウル部に給水されてからトラップ部の後端が下方に駆動して排水するようにしたことを特徴とする水洗便器装置。
【請求項２】
操作レバーを押し込んだとき給水ボタンが押されて給水手段から給水されるように操作レバーと給水手段とを連動させたことを特徴とする請求項１記載の水洗便器装置。
【請求項３】
トラップ部の自由端である後端が上限から下方に移動し始めるときと下限に近づいたときにリンク板の回転に抵抗を与えるダンパー装置をリンク板に付設したことを特徴とする請求項１または請求項２記載の水洗便器装置。
【請求項４】
操作レバーを押し込み始めたときから操作レバーの所定の押し込み位置の手前まではリンク板に係止してリンク板の回転を止め、所定の押し込み位置でリンク板が回転するように係止を外す規制ストッパーをリンク板に付設し、操作レバーの上記所定の押し込み位置で給水ボタンが押されるように操作レバーと給水手段とを連動させたことを特徴とする請求項２または請求項３記載の水洗便器装置。
【請求項５】
操作レバーを所定の押し込み位置に押し込んだとき操作レバーに係止して操作レバーの回動を止め、リンク板が回転してトラップ部が下限位置に反転したときに操作レバーが回動するように係止を外すレバー用ストッパーを操作レバーに付設して成ることを特徴とする請求項４記載の水洗便器装置。
【発明の詳細な説明】
【０００１】
【発明の属する技術分野】
本発明は、トラップ部を反転回動させることで排水と封水の切り換えができるようにした水洗便器装置に関するものである。
【０００２】
【従来の技術】
従来からボウル部から延びる排水路にトラップ部を配設した水洗便器において、トラップ部は自由端とした後端が上下方向に反転自在となり、このトラップ部が外部排水管に連通するケース本体内に収容され、トラップ部の自由端とした後端を上下に反転するための電動のトラップ駆動手段を設け、トラップ部から排水するときボウル部に給水する給水手段を設け、洗浄スイッチがオンとなると給水手段がオンになってボウルへの給水を行い、電動のトラップ駆動手段が駆動してトラップ部の自由端となった後端が下方に回動して排水をし、その後、トラップ駆動手段が駆動してトラップ部の自由端となった後端を上方に回動し、その後、ボウル部内に水を溜め、給水手段がオフとなるようにしたものが知られている。
【０００３】
【発明が解決しようとする課題】
ところが、上記従来例ではトラップ駆動手段がモータを駆動する電動のものであり、トイレ内に電源を必要とするという問題があり、また停電を考慮する必要もある。また多湿環境に設置する場合は電気部品等に対する防湿構造等の措置を講じる必要がある。
【０００４】
電気を用いないで手動で操作するようにした場合、レバー等の回動操作でトラップ部を回動駆動するようにすることも考えられるが、このようにするとレバー等を手動で操作すると直ちにトラップ部が回転してしまい、レバー等の回動と同時に給水手段から給水する構造の場合、ボウル部に十分に給水するまでにトラップ部から排水されてしまい洗浄が十分に行われないという問題がある（電動の場合は、給水するタイミングに対してトラップ部を駆動するタイミングを遅延させることは容易できるが、手動操作の場合は難しい）。
【０００５】
本発明は上記の点に鑑みてなされたものであり、手動操作できて電源を必要としないと共に停電も考慮に入れる必要もなく、しかも手動でも給水のタイミングに遅延させてトラップ部を駆動できて円滑に洗浄できる水洗便器装置を提供することを課題とするものである。
【０００６】
【課題を解決するための手段】
上記課題を解決するため本発明の請求項１の水洗便器装置は、ボウル部１から延びる排水路２にトラップ部３を配設した水洗便器４であって、トラップ部３は自由端とした後端が上下に反転回動自在となり、このトラップ部３が外部排水管５に連通するケース本体６内に収容され、トラップ部３から排水するときボウル部１に給水する給水手段７を設けた水洗便器装置において、トラップ部３の自由端とした後端を上下方向に反転するために回転駆動される回転軸８にリンク板９を一体に設け、上下に手動で揺動される操作レバー１０とリンク板９とを操作レバー１０の押し操作でリンク板９が回転駆動されるように引っ張りバネよりなる連繋バネ１１を介して連繋させ、操作レバー１０の押し操作でリンク板９を駆動する方向と逆の戻す方向に付勢する戻しバネ１３をリンク板９に付設し、連繋バネ１１の引っ張りバネとしての動作により操作レバー１０の操作に遅延してリンク板９が駆動するようにする一方、操作レバー１０と給水手段７を連繋させて操作レバー１０の操作に連動して給水手段７からボウル部１に給水されるようにし、ボウル部１に給水されてからトラップ部３の後端が下方に駆動して排水するようにしたことを特徴とする。操作レバー１０を押し操作すると、操作レバー１０が連繋バネ１１を介して引っ張ってリンク板９を回転させ、回転軸８がリンク板９と一緒に回転してトラップ部３の後端が下方に下がるように駆動され、ボウル部１に給水された水と一緒に排水され、操作レバー１０を離すと、戻しバネ１３にてリンク板９が上記と逆に駆動されてトラップ部３の後端が上に上がるように戻される。これによりトラップ部３を上下に反転動作させるのが手動操作ででき、従来のようにトイレに電源を必要としないと共に停電も考慮する必要もないようにでき、さらに電気部品等に対する防湿構造等の措置を講じる必要がないようにできる。また操作レバー１０とリンク板９を連繋させるのに引っ張りバネからなる連繋バネ１１を介しているために操作レバー１０の操作に遅延してリンク板９が駆動されてトラップ部３が駆動される。そして、操作レバー１０と給水手段７を連繋させて操作レバー１０の操作に連動して給水手段７からボウル部１に給水されるようにし、ボウル部１に給水されてからトラップ部３の後端が下方に駆動して排水するようにしたので、手動で操作するもので円滑に洗浄することができる。
【０００７】
また本発明の請求項２の水洗便器装置は、請求項１において、操作レバー１０を押し込んだとき給水ボタン１８が押されて給水手段７から給水されるように操作レバー１０と給水手段７とを連動させたことを特徴とする。トラップ部３を駆動する操作レバー１０を操作すれば給水ボタン１８も押されて給水され、給水の操作が操作レバー１０に連動して自動的にできる。
【０００８】
また本発明の請求項３の水洗便器装置は、請求項１または請求項２において、トラップ部３の自由端である後端が上限から下方に移動し始めるときと下限に近づいたときにリンク板９の回転に抵抗を与えるダンパー装置１５をリンク板９に付設したことを特徴とする。トラップ部３の後端が上限から下方に移動し始めるときダンパー装置１５から与えられる抵抗でリンク板９がゆっくり回転してトラップ部３の後端がゆっくり降下し、給水手段７からボウル部１に十分に給水されるまで待ってから排水でき、洗浄が十分にできる。またトラップ部３の後端が下限に近づいたときもダンパー装置１５から与えられる抵抗でリンク板９がゆっくり回転してトラップ部３の後端がゆっくり降下し、トラップ部３の後端が下方を向いた状態の時間を確保でき、確実に排水できる。
【０００９】
また本発明の請求項４の水洗便器装置は、操作レバー１０を押し込み始めたときから操作レバー１０の所定の押し込み位置の手前まではリンク板９に係止してリンク板９の回転を止め、所定の押し込み位置でリンク板９が回転するように係止を外す規制ストッパー１６をリンク板９に付設し、操作レバー１０の上記所定の押し込み位置で給水ボタン１８が押されるように操作レバー１０と給水手段７とを連動させたことを特徴とする。操作レバー１０を所定の押し込み位置まで押さないときはリンク板９に規制ストッパー１６が係止してリンク板９が回転しないようになっており、操作レバー１０を所定位置まで押し込み操作したときにはリンク板９から規制ストッパー１６の係止が外れてリンク板９にてトラップ部３が駆動されると共に給水手段７から給水されるようになる。従って操作レバー１０を所定の押し込み位置まで押さない中途半端な操作では給水されたり、排水されたりするのを防止できる。
【００１０】
また本発明の請求項５の水洗便器装置は、請求項４において、操作レバー１０を所定の押し込み位置に押し込んだとき操作レバー１０に係止して操作レバー１０の回動を止め、リンク板９が回転してトラップ部３が下限位置に反転したときに操作レバー１０が回動するように係止を外すレバー用ストッパー１７を操作レバー１０に付設して成ることを特徴とする。操作レバー１０を所定の押し込み位置に押し込んだとき操作レバー１０がレバー用ストッパー１７に係止して操作レバー１０が押し込み状態に保持され、リンク板９が回転することでトラップ部３の後端が下限位置までくるように反転したとき操作レバー１０からレバー用ストッパー１７が外れて操作レバー１０が戻る。このため、操作レバー１０を所定の押し込み位置に押し込んだ状態で手を離してもトラップ部３が所定の動作をするまでは操作レバー１０が元に戻らず、操作レバー１０の操作が簡単になると共に動作が確実になるものである。
【００１１】
【発明の実施の形態】
図１、図２には水洗便器４を示してある。水洗便器４には上方が開口１ａとなったボウル部１が形成してあり、さらに水洗便器４の後部の内部には収納空所部２０が設けてあり、この収納空所部２０内にケース本体６が内装してある。ケース本体６の一側壁には取り付け孔２１が設けてあり、取り付け孔２１に回動自在且つ上下に反転自在なトラップ部３を挿入して取り付けてあり、トラップ部３の大部分はケース本体６内に配置されると共にトラップ部３の前端部の接続部２２がケース本体６から外部に突出している。このトラップ部３の接続部２２はボウル部１の後端部に形成したボウル排出口２３に嵌め込んで接続してある。
【００１２】
ケース本体６内に配置したトラップ部３は後述する手動による駆動手段でトラップ部３の自由端とした後端が上下方向に反転自在に回動されるようになっている。図の例ではトラップ部３は軟質の材料で形成し、且つ蛇腹状をしており、ケース本体６に回転自在に取り付けた回転体２４はトラップ部３の後端部に連結してあり、また回転体２４は回転軸８にて回転駆動されるように回転軸８に連結してある。従って回転軸８を一方向に回転するとトラップ部３の自由端とした後端が下向きになるように回動し、上記と逆方向に回転するとトラップ部３の自由端とした後端が上向きになるように回動する。
【００１３】
ケース本体６の下部には排出孔２５を設けてあり、排出孔２５には外部排水管５を接続してある。従って、ボウル部１のボウル排出口２３、トラップ部３、ケース本体６、外部排水管５によりボウル部１から延びる排水路２を構成してある。
【００１４】
水洗便器４の後部上面にはボウル部１に給水する給水手段７として給水管路７ａが配置してあり、この給水管路７ａは先端部が水洗便器４のボウル部１の上端開口縁部に形成された通水用のリム部に連通し、他端部が水道管に接続されている。給水管路７ａの途中には給水の開閉操作をするフラッシュバルブのような給水バルブ２６を配置してある。
【００１５】
トラップ部３は図５、図６に示すように筒状をしており、軟質材料で形成し且つ蛇腹状をしている。山部３ａと谷部３ｂとが軸方向に交互に連続した蛇腹状のトラップ部３前端の山部の頂部の幅を軸方向に長くして筒状をした接続部２２が形成してある。この接続部２２のすぐ後方の谷部３ｂは他の谷部３ｂの谷底よりも谷底の幅をやや広く設定してあって、幅広谷部３ｂ′となっている。幅広谷部３ｂ′のすぐ後方の山部３ａの外周部には取り付け用フランジ２７を設けてあり、取り付け用フランジ２７に１乃至複数個の位置決め孔２８ａと挿入孔２８ｂとが設けてある。
【００１６】
また、蛇腹状のトラップ部３後端の山部３ａの頂部の幅を軸方向に長くして接続筒部２９を形成してあり、この接続筒部２９の外周面部は環状凹所２９ａとなっており、また接続筒部２９に凸または凹のリング位置決め部２９ｂを設けてあり、さらに接続筒部２９に凸または凹の回転体位置決め部２９ｃを設けてある。
【００１７】
トラップ部３はケース本体６の一側壁に設けた取り付け孔２１に挿入され、ケース本体６の取り付け孔２１の周囲に設けた位置決め突起に位置決め孔２８ａが嵌め込まれてケース本体６に対してトラップ部３の取り付け用フランジ２７が位置決めされ、この位置決め状態で挿入孔２８ｂからねじ具を挿入してケース本体６の取り付け孔２１の周囲に設けたねじ孔に螺合して取り付けるようになっている。
【００１８】
蛇腹状のトラップ部３の後端の接続筒部２９内には硬質材よりなるリング３０の前半部を嵌め込んでいる。リング３０の後端部は両側中央部から上下端部に向けて凹み深さが深くなるように切り欠いて切欠部３０ａを形成してリング３０の両側縁を側面視弧状としてある。リング３０には凹または凸の被位置決め部３０ｂを設けてあり、リング３０の前半部を接続筒部２９に嵌め込んだ場合にリング位置決め部２９ｂに被位置決め部３０ｂが嵌め込まれて蛇腹状のトラップ部３の後端の接続筒部２９にリング３０が所定の位置関係となるようにしてある。つまり、ケース本体６に対してトラップ部３の取り付け用フランジ２７を前述のように位置決め孔２８ａと位置決め突起とで位置決めした状態でトラップ部３の他端に取り付けられるリング３０の切欠部３０ａが上と下に位置するようにリング位置決め部２９ｂと被位置決め部３０ｂの位置関係が設定してある。添付図面に示す例ではリング３０の後端部の突出長さが長くなった両側中央部に凹となった被位置決め部３０ｂを設けてあり、このため、トラップ部３をケース本体６内に位置決めして取り付けた状態でリング位置決め部２９ｂが両側中央部になるように設けてある。
【００１９】
トラップ部３の後端の接続筒部２９の外周面部の環状凹所２９ａにはケース本体６に回転自在に取り付けた回転体２４が取り付けてある。回転体２４は図６に示すように、同一形状をした一対の回転半体３２により構成してある。回転半体３２は、回転アーム３２ａの一端部に側方に向けて突出する回転軸体３２ｂを形成すると共に他端部に回転軸体３２ｂの突出方向と逆方向に半円状をした半円状部３２ｃを突設して構成してある。回転軸体３２ｂの側方突出端には鍔体３２ｄを形成してあり、回転軸体３２ｂに被円形状断面をした軸孔３２ｅが形成してある。また半円状部３２ｃの突出基部には基部側受け部３２ｆが形成してあり、基部側受け部３２ｆにはねじ孔３２ｇが設けてあり、半円状部３２ｃの突出先端には先端側当て部３２ｈが設けてあり、先端側当て部３２ｈには孔３２ｉが設けてある。また基部側受け部３２ｆ及び先端側当て部３２ｈにはそれぞれ凹または凸の被位置決め部３２ｊが設けてある。
【００２０】
そして、一対の回転半体３２の半円状部３２ｃをそれぞれ環状凹所２９ａの下半分と上半分とに嵌め込み、被位置決め部３２ｊをそれぞれ回転体位置決め部２９ｃに嵌め込んで位置決めし、一方の回転半体３２の基部側受け部３２ｆに他方の回転半体３２の先端側当て部３２ｈを当接すると共に他方の回転半体３２の基部側受け部３２ｆに一方の回転半体３２の先端側当て部３２ｈを当接し、孔３２ｉからねじ具３３を挿入してねじ孔３２ｇに螺合することで、一対の回転半体３２をトラップ部３の後端部に取り付けるのである。この場合、一対の回転半体３２同士をねじ具３３で固着することで、一対の半円状部３２ｃによりトラップ部３の後端の接続筒部２９を硬質のリング３０に圧接して接続筒部２９に嵌め込んだリング３０が外れないようになっている。また位置決め部３２ｊをそれぞれ回転体位置決め部２９ｃに嵌め込んで位置決めすることで、トラップ部３に対して一対の回転半体３２が位置決めして取り付けられ、ケース本体６にトラップ部３を位置決めして取り付けた状態で、トラップ部３が水平姿勢の場合に両回転アーム３２ａが水平となるように設定してある。
【００２１】
上記回転体２４を回転駆動してトラップ部３の後端を上下に反転する機構は例えば図７に示すように構成されている。トラップ部３に取り付けた回転体２４の回転軸体３２ｂには回転軸８を連結してあり、回転軸８には円盤状のリンク板９を一体に装着してある。リンク板９の上方には操作レバー１０を支点３４を中心に揺動自在に装着してあり、操作レバー１０に操作レバー１０の押し動作に対して操作レバー１０を復帰させる方向に付勢する復帰バネ３５を装着してある。操作レバー１０の先端とリンク板９とは操作レバー１０を押し操作するとリンク板９が回転するように引っ張りバネよりなる連繋バネ１１を介して連繋させてある。本例の場合、連繋バネ１１に連繋ワイヤ３６を連結してあり、連繋バネ１１の端部を操作レバー１０の先端に結合してあり、連繋ワイヤ３６の端部をリンク板９の回転軸８に対して偏心した位置に連結してある。また操作レバー１０の押し操作でリンク板９を駆動する方向と逆の戻す方向に付勢する戻しバネ１３をリンク板９に付設してある。本例の場合、戻しバネ１３の一端は固定してあり、戻しバネ１３の他端に連結した連結ワイヤ３７をリンク板９の回転軸８に対して偏心した位置に連結してある。またリンク板９には上下限ストッパー１２を付設してあり、リンク板９に上限と下限とで上下限ストッパー１２に当たる上限係止部３８ａと下限係止部３８ｂとを設けてある。
【００２２】
図７は待機状態であり、トラップ部３の後端は図２に示すように上方に反転しており、上限位置に位置している。このとき上下限ストッパー１２に上限係止部３８ａが係止している。この状態から操作レバー１０を押し込むと、図８（ａ）のように連繋バネ１１及び連繋ワイヤ３６を介して引っ張られてリンク板９が戻しバネ１３に抗して回転し、図３に示すようにトラップ部３の後端が下向きに回転を始める。このとき操作レバー１０に連動して給水バルブ２６が開かれて給水管路７ａから給水が開始される。そして操作レバー１０を所定の押し切り位置まで押し込むと、図８（ｂ）に示すようにリンク板９が回転して上下限ストッパー１２に下限係止部３８ｂが係止してリンク板９の回転が止まると共にトラップ部３の後端が下方を向くように反転して図４に示すように下限位置に位置し、排水状態となる。汚水を排出した状態で操作レバー１０から手を離すと、図８（ｃ）に示すように復帰バネ３５のバネ力と連繋バネ１１のバネ力にて操作レバー１０が元の状態に復帰を開始し、連繋バネ１１が縮むにつれてトラップ部３の弾性と戻しバネ１３のバネ力によってリンク板９が上記と逆に回転し、トラップ部３の後端は上向きに回転を始める。そして図８（ｄ）に示すようにさらに復帰バネ３５のバネ力と連繋バネ１１のバネ力にて操作レバー１０が元の位置まで戻り、戻しバネ１３のバネ力よってリンク板９が回転し、上下限ストッパー１２に上限係止部３８ａに係止し、トラップ部３の後端が上方を向いて上限位置で停止する。次いで給水バルブ２６が閉じられて給水が終了され、排水動作が完了する。
【００２３】
また操作レバー１０とリンク板９を連繋させるのが引っ張りバネからなる連繋バネ１１のために操作レバー１０の操作に遅延してリンク板９が駆動されてトラップ部３が駆動される。このために操作レバー１０の操作と同時に給水手段７からボウル部１に給水すればボウル部１に給水されてからトラップ部３の後端が下方に駆動されて排水され、手動で操作するもので円滑に洗浄することができる。
【００２４】
また図９は回転体２４を回転駆動してトラップ部３の後端を上下に反転する機構の他の例を示すものである。トラップ部３に取り付けた回転体２４の回転軸体３２ｂには回転軸８を連結してあり、回転軸８には円盤状のリンク板９を一体に装着してある。リンク板９の上方には操作レバー１０を支点３４を中心に揺動自在に装着してあり、操作レバー１０に操作レバー１０の押し動作に対して操作レバー１０を復帰させる方向に付勢する復帰バネ３５を装着してある。操作レバー１０の先端とリンク板９とは操作レバー１０を押し操作するとリンク板９が回転するように引っ張りバネよりなる連繋バネ１１を介して連繋させてある。本例の場合、連繋バネ１１に連繋ワイヤ３６を連結してあり、連繋バネ１１の端部を操作レバー１０の先端に結合してあり、連繋ワイヤ３６の端部をリンク板９の回転軸８に対して偏心した位置に連結してある。また操作レバー１０の押し操作でリンク板９を駆動する方向と逆の戻す方向に付勢する戻しバネ１３をリンク板９に付設してある。本例の場合、戻しバネ１３の一端は固定してあり、戻しバネ１３の他端に連結した連結ワイヤ３７をリンク板９の回転軸８に対して偏心した位置に連結してある。またリンク板９には上限ストッパー１２ａと下限ストッパー１２ｂを付設してあり、リンク板９に上限と下限とで上限ストッパー１２ａと下限ストッパー１２ｂに当たる上限係止部３８ａと下限係止部３８ｂとを設けてある。
【００２５】
またリンク板９には下限係止部３８ｂに係脱自在に係止する規制ストッパー１６を回転自在に装着してあり、規制ストッパー１６には規制ストッパー１６が係止する方向に付勢する付勢バネ１６ａを装着してあるこの規制ストッパー１６と操作レバー１０とは規制ストッパー１６の係止を解除する解除ワイヤ４０にて連結してある。また操作レバー１０の先端の近傍にはこの先端の係止凹部４１に係脱自在に係止するレバー用ストッパー１７を回転自在に装着してあり、レバー用ストッパー１７にはレバー用ストッパー１７が係止する方向に付勢する付勢バネ１７ａを装着してある。このレバー用ストッパー１７とリンク板９とにはレバー用ストッパー１７の係止を解除する解除ワイヤ４２にて連結してある。
【００２６】
またトラップ部３の自由端である後端が上限から下方に移動し始めるときと下限に近づいたときにリンク板９の回転に抵抗を与えるダンパー装置１５をリンク板９に付設してある。このダンパー装置１５は図１３に示すようにケーシング４５から突出した回転軸４６にギヤ４７を装着して形成されており、ギヤ４７が一方向に回転するとき抵抗を受け、他の方向に回転するとき抵抗を受けないものである。このダンパー装置１５は特開平４−２４１８２４号公報に開示される緩衝装置と同じ構造であり、グリスのような流体を装填したケーシング４５とケーシング４５内に内装した上記回転軸４６と一体の胴部材と、胴部材を一方に回転するとき起立して流体の抵抗を受け且つ胴部材を他方に回転するとき倒れて流体の抵抗を受けないように胴部材の外周に装着したブレードとで構成されている。リンク板９の上記上限係止部３８ａと下限係止部３８ｂとの間には切欠部４８を設けてあり、切欠部４８の上限係止部３８ａに近い部分と下限係止部３８ｂに近い部分にはそれぞれ上記ギヤ４７に噛合するラック部４８ａ，４８ｂをそれぞれ設けてある。
【００２７】
また操作レバー１０を押し込み操作したとき給水バルブ２６の給水ボタン１８を押して給水するように操作レバー１０と給水ボタン１８とを図１２に示すように連動させてある。操作レバー１０の支点３４の部分から操作レバー１０と一体に回転する回転軸５０を突設してあり、この回転軸５０に回転軸５０の長手方向にスライド自在になるようにスリーブ５１を被嵌してあり、スリーブ５１の先端を給水ボタン１８に対向させてある。回転軸５０に対してスリーブ５１が一体回転すると共にスライド自在に移動するために回転軸５０の突設したピン５２をスリーブ５１の溝５３にスライド自在に係合してある。スリーブ５１はジャーナル軸受け状の軸受け５４にスライド自在且つ回転自在に挿通してあり、軸受け５４には傾斜した溝５５を設けてあり、溝５５にスリーブ５１のピン５６をスライド自在に係合させてある。しかして操作レバー１０を押し込むように回転すると、回転軸５０と一緒にスリーブ５１が回転し、ピン５６が溝５５に対してスライドすることでスリーブ５１が給水ボタン１８の方向にスライドして給水ボタン１８が押される。このようにすると操作レバー１０の押し込みに連動して給水ボタン１８を押して給水を開始できる。
【００２８】
図９は待機状態であり、トラップ部３の後端は上方に反転しており、上限位置に位置している。このとき上限ストッパー１２ａに上限係止部３８ａが係止していると共に規制ストッパー１６が下限係止部３８ｂに係止している。この状態から操作レバー１０を所定の押し込み位置まで押し込むと図１０（ａ）の状態となり、操作レバー１０と連動して給水ボタン１８が押され、給水バルブ２６が開かれて給水が開始され、一方連繋バネ１１が伸びてレバー用ストッパー１７に操作レバー１０が係止される。そして規制ストッパー１６の係止が解除ワイヤ４０にて解除されてリンク板９が連繋バネ１１のバネ力にて戻しバネ１３に抗して回転を始め、トラップ部３の後端が下向きに回転を始める。このときダンパー装置１５のギヤ４７とラック部４８ａとが噛合してダンパー装置１５の抵抗を受け、リンク板９がゆっくり回転してトラップ部３の後端が図１４のグラフのＡ線のＡ１の部分のようにゆっくり下降する。
【００２９】
次いで図１０（ｂ）の状態となり、ギヤ４７とラック部４８ａとの噛合が外れ、リンク板９の回転が増速され、図１４のグラフのＡ線のＡ２部分のようにトラップ部３の下端が速い速度で下降し、排水が開始される。次いで図１０（ｃ）のようにギヤ４７とラック部４８ｂとが噛合し、抵抗を受けてリンク板９の回転が減速されて図１４のグラフのＡ線のＡ３部分のようにトラップ部３の後端が下限までゆっくり下降し、所定の排水時間が確保される。そしてトラップ部３の後端が下限になったとき下限ストッパー１２ｂが下限係止部３８ｂに係止する。
【００３０】
次いで解除ワイヤ４２にてレバー用ストッパー１７の操作レバー１０への係止が解除され、図１０（ｄ）に示すように連繋バネ１１のバネ力にて操作レバー１０が元の状態に復帰する。そして図１０（ｅ）に示すように連繋バネ１１が縮むにつれてトラップ部３の弾性と戻しバネ１３のバネ力によってリンク板９が上記と逆に回転し、図１４のグラフのＡ線のＡ４部分のようにトラップ部３の後端は上向きに回転をする。このときギヤ４７とラック部４８ａ，４８ｂとが噛合してもダンパー装置１５から抵抗を受けない。トラップ部３の後端が上限位置まで回転すると、図１０（ｆ）の状態なり、上限ストッパー１２ａが上限係止部３８ａに係止し、下限係止部３８ｂに規制ストッパー１６が係止し、その後給水が終了し、待機状態に戻る。
【００３１】
また図１１（ａ）の待機状態から操作レバー１０を操作するとき、図１１（ｂ）に示すように操作レバー１０の押し込みが押し切る位置に至らなくて所定の押し込み量にならないときは、図１１（ｂ）に示すように操作レバー１０がレバー用ストッパー１７に係止する位置に至らないと共に解除ワイヤ４０により規制ストッパー１６の係止を解除する位置に至らなく、トラップ部３の回転がおこならない。勿論、給水も行われない。そして操作レバー１０を離すと連繋バネ１１のバネ力にて待機の位置まで戻る。このようにすると、中途半端な操作で動作するのを防止できる。
【００３２】
上記のようにしてトラップ部３が動作するが、この状態をわかりやすくしたのが図１４の説明図である。この図のグラフのＡ線は本発明の手動操作するときにおける時間とトラップ部の角度の関係を示し、Ｂ線は従来の電動操作するときにおける時間とトラップ部の角度の関係を示し、Ｃ線は給水のための給水バルブ開閉と時間の関係を示す。ところで、電動で行う場合、モータで駆動するために図１４のように給水の開始から一定時間経過後にモータを駆動してトラップ部３後端を下降させ、トラップ部３の下限位置でモータを停止して位置を一定時間保持し、モータを逆に駆動してトラップ部３の後端を上昇させるという制御は容易にできるが、本発明のように手動操作するものでも上記実施の形態の例のものではＡ線のように電動に近い動作を実現できてボウル部１の洗浄が円滑に行われる。
【００３３】
【発明の効果】
本発明の請求項１の発明は、ボウル部から延びる排水路にトラップ部を配設した水洗便器であって、トラップ部は自由端とした後端が上下に反転回動自在にとなり、このトラップ部が外部排水管に連通するケース本体内に収容され、トラップ部から排水するときボウル部に給水する給水手段を設けた水洗便器装置において、トラップ部の自由端とした後端を上下方向に反転するために回転駆動される回転軸にリンク板を一体に設け、上下に手動で揺動される操作レバーとリンク板とを操作レバーの押し操作でリンク板が回転駆動されるように引っ張りバネよりなる連繋バネを介して連繋させ、操作レバーの押し操作でリンク板を駆動する方向と逆の戻す方向に付勢する戻しバネをリンク板に付設し、連繋バネの引っ張りバネとしての動作により操作レバーの操作に遅延してリンク板が駆動するようにする一方、操作レバーと給水手段を連繋させて操作レバーの操作に連動して給水手段からボウル部に給水されるようにし、ボウル部に給水されてからトラップ部の後端が下方に駆動して排水するようにしたので、操作レバーを押し操作すると、操作レバーが連繋バネを介して引っ張ってリンク板を回転させ、回転軸がリンク板と一緒に回転してトラップ部の後端が下方に下がるように駆動され、ボウル部に給水された水と一緒に排水され、操作レバーを離すと、戻しバネにてリンク板が上記と逆に駆動されてトラップ部の後端が上に上がるように戻されるものであって、これによりトラップ部の後端を上下に反転動作させるのが手動操作ででき、従来のようにトイレに電源を必要としないと共に停電も考慮する必要もないようにでき、さらに電気部品等に対する防湿構造等の措置を講じる必要がないようにできるものであり、しかも操作レバーとリンク板を連繋させるのに引っ張りバネからなる連繋バネを介しているために操作レバーの操作に遅延してリンク板が駆動されてトラップ部が駆動されるものであって、そして、操作レバーと給水手段を連繋させて操作レバーの操作に連動して給水手段からボウル部に給水されるようにし、ボウル部に給水されてからトラップ部の後端が下方に駆動して排水するようにしたので、手動で操作するもので円滑に洗浄することができるものである。
【００３４】
また本発明の請求項２の発明は、請求項１において、操作レバーを押し込んだとき給水ボタンが押されて給水手段から給水されるように操作レバーと給水手段とを連動させたので、トラップ部を駆動する操作レバーを操作すれば給水ボタンも押されて給水され、給水の操作が操作レバーに連動して自動的にできるものである。
【００３５】
また本発明の請求項３の発明は、請求項１または請求項２において、トラップ部の自由端である後端が上限から下方に移動し始めるときと下限に近づいたときにリンク板の回転に抵抗を与えるダンパー装置をリンク板に付設したので、トラップ部の後端が上限から下方に移動し始めるときダンパー装置から与えられる抵抗でリンク板がゆっくり回転してトラップ部の後端がゆっくり降下するものであって、給水手段からボウル部に十分に給水されるまで待ってから排水できて洗浄が十分にできるものであり、またトラップ部の後端が下限に近づいたときもダンパー装置から与えられる抵抗でリンク板がゆっくり回転してトラップ部の後端がゆっくり降下し、トラップ部の後端が下方を向いた状態の時間を確保でき、確実に排水できるものである。
【００３６】
また本発明の請求項４の発明は、操作レバーを押し込み始めたときから操作レバーの所定の押し込み位置の手前まではリンク板に係止してリンク板の回転を止め、所定の押し込み位置でリンク板が回転するように係止を外す規制ストッパーをリンク板に付設し、操作レバーの上記所定の押し込み位置で給水ボタンが押されるように操作レバーと給水手段とを連動させので、操作レバーを所定の押し込み位置まで押さないときはリンク板に規制ストッパーが係止してリンク板が回転しないようになっており、操作レバーを所定位置まで押し込み操作したときにはリンク板から規制ストッパーの係止が外れてリンク板にてトラップ部が駆動されると共に給水手段から給水されるようになるものであって、操作レバーを所定の押し込み位置まで押さない中途半端な操作で給水されたり、排水されたりするのを防止できるものである。
【００３７】
また本発明の請求項５の発明は、請求項４において、操作レバーを所定の押し込み位置に押し込んだとき操作レバーに係止して操作レバーの回動を止め、リンク板が回転してトラップ部が下限位置に反転したときに操作レバーが回動するように係止を外すレバー用ストッパーを操作レバーに付設しているので、操作レバーを所定の押し込み位置に押し込んだとき操作レバーがレバー用ストッパーに係止して操作レバーが押し込み状態に保持され、リンク板が回転することでトラップ部の後端が下限位置までくるように反転したとき操作レバーからレバー用ストッパーが外れて操作レバーが戻るものであって、操作レバーを所定の押し込み位置に押し込んだ状態で手を離してもトラップ部が所定の動作をするまでは操作レバーが元に戻らず、操作レバーの操作が簡単になると共に動作が確実になるものである。
【図面の簡単な説明】
【図１】本発明の実施の形態の水洗便器装置の全体の断面図である。
【図２】同上の洗浄動作を示し、トラップ部の後端が上を向いている状態で給水している状態を示す断面図である。
【図３】同上の洗浄動作を示し、トラップ部の後端を下向きに回動して途中の状態の断面図である。
【図４】同上の洗浄動作を示し、トラップ部の後端を下向きにして汚物や汚水を排出している状態の断面図である。
【図５】同上のトラップ部の半断面図である。
【図６】同上のトラップ部、リング、回転体の分解斜視図である。
【図７】同上のトラップ部を駆動する機構の一例を示す概念図である。
【図８】（ａ）（ｂ）（ｃ）（ｄ）は同上の動作を示す説明図である。
【図９】（ａ）は同上のトラップ部を駆動する機構の他の例を示す断面図、（ｂ）は（ａ）の要部の概念図である。
【図１０】（ａ）（ｂ）（ｃ）（ｄ）（ｅ）（ｆ）は同上の動作を説明する説明図である。
【図１１】（ａ）（ｂ）（ｃ）は同上の動作を説明する説明図である。
【図１２】同上の操作レバーと給水手段とを連動させる構造を示し、（ａ）は側面図、（ｂ）は平面図である。
【図１３】同上のダンパー装置の斜視図である。
【図１４】同上のトラップ部及び給水バルブの動作を説明する説明図である。
【符号の説明】
１  ボウル部
２  排水路
３  トラップ部
４  水洗便器
５  外部排水管
６  ケース本体
７  給水手段
８  回転軸
９  リンク板
１０  操作レバー
１１  連繋バネ
１３  戻しバネ
１５  ダンパー装置
１６  規制ストッパー
１７  レバー用ストッパー
１８  給水ボタン
【図１】
0004131069.tif 000002
【図２】
0004131069.tif 000003
【図３】
0004131069.tif 000004
【図４】
0004131069.tif 000005
【図５】
0004131069.tif 000006
【図６】
0004131069.tif 000007
【図７】
0004131069.tif 000008
【図８】
0004131069.tif 000009
【図９】
0004131069.tif 000010
【図１０】
0004131069.tif 000011
【図１１】
0004131069.tif 000012
【図１２】
0004131069.tif 000013
【図１３】
0004131069.tif 000014
【図１４】
0004131069.tif 000015